(57)【特許請求の範囲】
【請求項１】
回転する主軸と、前記主軸に取付けられた羽根車を内部に備えた流体機械のケーシングであって、
ケーシングが、複数のケースを前記主軸の軸心方向で連結一体化することで構成され、前記複数のケースのうちの流体の流れ方向の上流側に位置する上流側ケースと、流体の流れ方向の下流側に隣合う下流側ケースとを前記軸心を中心とするインロー構造で嵌め合う嵌合部が形成され、前記上流側ケース又は下流側ケースの前記嵌合部の径方向内側に、前記ケーシングの内部に装備される内装構造体を嵌合及び支持させる取付部が形成可能に構成され、
前記内装構造体が、前記主軸を回転可能に支承する中間軸受を備える軸受台である流体機械のケーシング。
【請求項２】
前記嵌合部が、前記上流側ケースと前記下流側ケースとのそれぞれに設けられた外周フランジに亘って形成されており、前記取付部が前記外周フランジの嵌合部形成部分の径方向内側部分を軸心方向に凹入させた凹入部として形成されている請求項１に記載の流体機械のケーシング。
【請求項３】
前記嵌合部が、前記各外周フランジのうちの一方の外周フランジに形成される環状の凸リング部と、前記凸リング部に嵌合する状態で他方の外周フランジに形成される環状の凹リング部とを有して構成されるとともに、前記凸リング部を有する外周フランジに前記凹入部が環状に形成されている請求項２に記載の流体機械のケーシング。
【請求項４】
前記軸心が上下向きの立軸心であり、前記両ケースのうちの下側となるケースに前記凹入部が形成されている請求項２又は３に記載の流体機械のケーシング。
【請求項５】
請求項１に記載の流体機械のケーシングの製造方法であって、
前記ケーシングを鋳造で作成し、内装構造体を嵌合する場合には、前記取付部を切削加工で形成することを特徴とする流体機械のケーシングの製造方法。
【発明の詳細な説明】
【技術分野】
【０００１】
本発明は、流体機械のケーシング及び流体機械のケーシングの製造方法に関するものである。
【背景技術】
【０００２】
例えば、特許文献１において開示される立軸ポンプにおいて、その図２に示されるように、軸受ケーシング（９）を囲繞する下流側ケースであるポンプケース（揚水管：２）と、その上流側に設けられた上流側ケースである吸込みカバー（ベルマウス：３）とが、互いのフランジ部を付き合せて面当接状態でボルト止め連結されている。そして、それらポンプケース（２）と吸込みカバー（３）との間には、羽根（インペラ：５）に小さい隙間を有して外囲される内装構造体であるケーシングライナ（プロテクトライナ：８）の上端フランジ（符記無し）が挟持支持されている。
【０００３】
上述のように、ケーシングライナ（８）を挟んでポンプケース（２）と吸込みカバー（３）とを連結一体化する場合、回転体である羽根車とケーシングライナが干渉しないように、従来は、ケーシングライナ（８）のフランジ部の外周面を寸法基準として、そこにポンプケース（２）及び吸込みカバー（３）を外嵌させることにより、ポンプケース（２）と吸込みカバー（３）との芯出しを行う構造とされている。つまり、ケーシングライナが芯合せ用としても必須の部品として構成されていた。
【０００４】
ところが、ケーシングライナの形状が変更される場合や、ケーシングライナを用いない仕様の場合には、芯出しを行うために、ポンプケースと吸込みカバーとの何れか一方又は双方共に形状変更しなければならないことになる。例えば、ケーシングライナの形状や大きさが変更され、そのフランジ部の厚さや最大径が変わる場合には、ポンプケース及び吸込みカバーのケーシングライナ挟み込み部の径及び削り込み深さが変更になる。また、ケーシングライナが省略される場合には、ポンプケースと吸込みカバーとの何れか一方を、その相手側に嵌合するための嵌合周部を設けた別形状の部品とするか、或は、ケーシングライナのフランジ部に相当する芯出し用の別部材を新たに設けるかする必要がある。
【０００５】
また、ＪＩＳＢ０１３１（２００２）の付図４１には、水中軸受支えのフランジ部を上下の揚水管のフランジの間に挟み込む構造が開示されており、この構造によれば、水中軸受支えの有無でポンプ長さが変わってしまう。そして、ポンプ長さが変わると、主軸又は揚水管の長さの修正が必要となる。即ち、ポンプの仕様変更により軸受が追加で必要になった際、主軸長さを修正しない場合には急遽揚水管を短くすることで対応することになる。また、揚水管は鋳造されることが多く、生産リードタイムの関係で、かなり早めに鋳物の手配をする必要があるので、主軸等寸法を延長しない場合には揚水管の接続部に軸受支えのフランジ部の厚みに相当する不要な部材を付けておく等の処置をして、軸受の有無に対応する場合もあった。
【０００６】
このように、上流側ケースと下流側ケースとを、それらの間に内装構造体を介装することで芯出しさせるポンプケーシング構造では、ケーシングライナや軸受支え（軸受支持台）等の内装構造体の変更や有無により、上流側ケースと下流側ケースとの少なくとも一方の構造を変更するか、芯出しのためだけに新たな別部材を設けなければならない。従って、仕様変更毎にポンプケースも変更しなければならない設計上及び組付上の煩わしさがある。また、別部材を設ける構造の場合にはその部材のコストが余分に掛かるほか、組付け忘れが発生し易いといった不都合があった。
【先行技術文献】
【特許文献】
【０００７】
【特許文献１】特開２００３−０５６４８１号公報
【非特許文献】
【０００８】
【非特許文献１】ＪＩＳＢ０１３１（２００２）
【発明の概要】
【発明が解決しようとする課題】
【０００９】
本発明の目的は、回転する主軸と、主軸に取付られる羽根車を内部に備えた流体機械用のケーシングにおいて、流体の流れ方向の上流側ケースと下流側ケースとの間に内装構造体を介装させることで芯出しを行う従来構造で生じる設計上及び組立上の煩わしさを解消した流体機械のケーシング及びその製造方法を提供する点にある。
【課題を解決するための手段】
【００１０】
請求項１に係る発明は、回転する主軸４と、前記主軸４に取付けられた羽根車５を内部に備えた流体機械のケーシングにおいて、
ケーシング３が、複数のケースＣを前記主軸４の軸心Ｐ方向で連結一体化することで構成され、前記複数のケースＣのうちの流体の流れ方向の上流側に位置する上流側ケース１２と、流体の流れ方向の下流側に隣合う下流側ケース１１とを前記軸心Ｐを中心とするインロー構造で嵌め合う嵌合部Ｋが形成され、前記上流側ケース１２又は下流側ケース１１の前記嵌合部Ｋの径方向内側に、前記ケーシング３の内部に装備される内装構造体Ｎを嵌合及び支持させる取付部２５が形成可能に構成され、
前記内装構造体Ｎが、前記主軸４を回転可能に支承する中間軸受２７を備える軸受台８Ａであることを特徴とするものである。
【００１１】
請求項２に係る発明は、請求項１に記載の流体機械用のケーシングにおいて、前記嵌合部Ｋが、前記上流側ケース１２と前記下流側ケース１１とのそれぞれに設けられた外周フランジ１２Ａ，１１Ａに亘って形成されており、前記取付部２５が前記外周フランジ１２Ａ，１１Ａの嵌合部Ｋ形成部分の径方向内側部分を軸心Ｐ方向に凹入させた凹入部として形成されていることを特徴とするものである。
【００１２】
請求項３に係る発明は、請求項２に記載の流体機械用のケーシングにおいて、前記嵌合部Ｋが、前記各外周フランジ１２Ａ，１１Ａのうちの一方の外周フランジ１２Ａに形成される環状の凸リング部２３と、前記凸リング部２３に嵌合する状態で他方の外周フランジ１１Ａに形成される環状の凹リング部３３とを有して構成されるとともに、前記凸リング部２３を有する外周フランジ１２Ａに前記凹入部２５が環状に形成されていることを特徴とするものである。
【００１３】
請求項４に係る発明は、請求項２又は３に記載の流体機械用のケーシングにおいて、前記軸心Ｐが上下向きの立軸心であり、前記両ケース１２，１１のうちの下側となるケース１２に前記凹入部２５が形成されていることを特徴とするものである。
【００１４】
請求項５に係る発明は、請求項１に記載の流体機械のケーシングの製造方法において、
前記ケーシング３を鋳造で作成し、前記内装構造体Ｎを嵌合する場合には、取付部２５を切削加工で形成することを特徴とするものである。
【発明の効果】
【００１５】
請求項１の発明によれば、詳しくは実施形態の項にて説明するが、上流側ケースと下流側ケースとの嵌合部と、いずれかのケースと内装構造体との嵌合部である取付部とを主軸軸心に対して径方向で分けて形成可能に構成することにより、内装構造体の有無とは無関係に上流側ケースと下流側ケースとを芯合せして組付けることができる。そして、従来では、段落番号「０００５」において述べた不都合、即ち、軸受の有無でポンプ長さが変わって主軸又は揚水管の長さ修正が必要になることや、追加で軸受が必要になる場合に備えて不要なものを付けておく必要があったが、本発明においては長さが変わらず、従って、それらの不都合が解消される利点もある。
【００１６】
その結果、流体の流れ方向の上流側ケースと下流側ケースとを芯出し状態で連結一体化する際に、それら両ケースの間に必ず内装構造体を介装させることで芯出しを行う従来構造では生じる「仕様変更毎にポンプケースも変更しなければならない設計上及び組付上の煩わしさ」といった不都合が出ないケーシングを提供することができる。また、請求項１のように、このケーシングを、内装構造体として主軸を回転可能に支承する中間軸受を備えた中間軸受台を介装させる部分に適用して、前記効果を確実に享受することができる。
【００１７】
請求項２の発明は、上流側と下流側の各ケースの外周フランジに凹入部を形成したものである。
【００１８】
請求項３の発明によれば、上流側と下流側の外周フランジのうちの環状の凸リング部を有する外周フランジに環状の凹入部が形成されているから、旋盤等で環状の形状を形成できるので、内装構造体を嵌合及び支持させる取付部を周方向に部分的に設ける場合に比べて加工が容易となる。
【００１９】
請求項４の発明によれば、軸心が上下に向く立向きの流体機械のケーシングにおける下側となるケース部の外周フランジに環状凹入部が形成されるので、内装構造体を落し込み嵌合させて保持させることができ、組付け作業が行い易い利点がある。例えば、環状凹入部を上側に設ける場合では、内装構造体を重力に反して持上げて嵌合させる必要があるとともに、ボルト等によって固定させる間中は落ちないように内装構造体を支える必要もあり、作業が複雑でやり難いことが予測できるが、本請求項４の発明ではそのような不便や不都合がない。
【００２０】
請求項５の発明は、請求項１に記載の流体機械のケーシングの製造方法であって、ケーシングを鋳造で作成し、内装構造体を嵌合する場合には、そのための取付部を切削加工で形成するようにしたものである。このようにすることで内装構造体を使用しない場合であっても、取付部を加工してしまう無駄が省けるとともに、取付部が必要になった場合には、鋳造されている箇所を切削加工することにより、即ち、後加工によって取付部を設けることが可能となる使い勝手の良さもある。
【図面の簡単な説明】
【００２１】
【図１】立軸ポンプの断面図
【図２】中間揚水管と下部揚水管との接合部を示す要部の拡大断面図（実施例１）
【図３】図２をさらに拡大した断面図
【図４】下部揚水管の上端部の構造を示す要部の拡大断面図
【図５】下部揚水管の上端部の別構造を示す要部の拡大断面図（実施例２）
【発明を実施するための最良の形態】
【００２２】
以下に、本発明による流体機械のケーシングの実施の形態を、立軸ポンプに適用した場合について図面を参照しながら説明する。
【００２３】
〔実施例１〕
図１に示すように、立軸ポンプＡは、貯水槽の天井床１の取付孔２に落とし込まれるポンプケーシング（ケーシングの一例）３、主軸４、羽根車５、駆動機の回転軸に接続するための軸継手６、上下の中間軸受部７，８等を有して構成されている。ポンプケーシング３は、向きを９０度変えるエルボ形状であるとともに上部軸受４１を装着した上部ケース９、上部ケース９の上流側に続く上部揚水管１０、上部揚水管１０の下側に続く中間揚水管１１、中間揚水管１１の上流側に続く下部揚水管１２、下部揚水管１２の上流側に続くポンプケース１３、ポンプケース１３の上流側に続く上吸入カバー１４、上吸入カバー１４の上流側に続く下吸入カバー１５を有して構成されている。これら、上部ケース９〜下吸入カバー１５は全て「ケースＣ」の一例である。
【００２４】
上下向きの軸心Ｐを有する主軸４の下端には下方へ抜止めされる羽根車５が一体回転状態に嵌合装着されており、その上側においてポンプケース１３のインナーケース部１３ｉに支持される下部軸受部１６が装備されている。ポンプケース１３は、外周壁１３ｏとインナーケース部１３ｉと、これら両者を一体化する複数の整流板部１３ａとを有して構成されている。主軸４に動力伝達されて羽根車５が回転することにより、下吸入カバー１５から吸引される水等の液体はポンプケーシング３内で揚水（矢印イ方向）され、上部ケース９から、これに接続される配水管（図示省略）に流れて行く。
【００２５】
次に、下部揚水管１２と中間揚水管１１との連結構造について述べる。図１，図２に示すように、吸込み方向（矢印イ方向）の上流側に位置する下部揚水管（上流側ケースの一例）１２と、その吸込み方向の下流側に隣合う中間揚水管（下流側ケースの一例）１１とを軸心Ｐを中心とするインロー構造で嵌め合う嵌合部Ｋが形成されている。そして、下部揚水管１２の嵌合部Ｋの径内側に、軸心Ｐを中心とする環状体を為してポンプケーシング３の内部に装備される中間軸受部８を構成する中間軸受台（内装構造体Ｎの一例）８Ａを嵌合及び支持させる取付部２５が形成されている。
【００２６】
図２，図３に示すように、中間揚水管１１の下端に一体形成される下外周フランジ１１Ａには、その最も外周側の環状底面である最外周底面１７、最外周底面１７の径内側で少し上に位置する環状の中間底面１８、最外周底面１７の内端と中間底面１８の外端とに亘る基準立内周面１９、管内面１１ａよりも若干径が大きい状態で中間底面１８の内端に続く内立周面２０、上下に貫通する取付孔２１等が形成されている。ここで、中間底面１８と基準立内周面１９とで形成される上方に凹入する部分を凹リング部３３と呼ぶものと定義する。尚、Ｘは取付孔２１の軸心である。
【００２７】
図２〜図４に示すように、下部揚水管１２の上端に一体形成される上外周フランジ１２Ａには、その最も外周側の環状上面である最外周上面２２、最外周上面２２の内側に位置して上方隆起する凸リング部２３、凸リング部２３の外周側の立側周面である基準立外周面２４、凸リング部２３の内側に位置して下方に凹んだ取付部（環状凹入部）２５、管内面１２ａよりも若干径が大きい状態で環状凹入部２５の内端に続く立側周面２６、上下に貫通する取付孔２１等が形成されている。環状凹入部２５は、凸リング部２３の天井面２３ａの内端に続く垂直な嵌合立周面２５ｂ、及び嵌合立周面２５ｂの下端に続く水平な環状載置面２５ａを有している。
【００２８】
中間軸受部８を形成する主要部品である中間軸受台８Ａは、図１，図２に示すように、摺動部材（軸受の一例）２７を嵌装するボス部８ａ、内立周面２０及び下部揚水管１２の立側周面２６の径方向内側に位置する外周部８ｂ、及びボス部８ａと外周部８ｂとを繋ぐ複数の支持材８ｃとを有して構成されている。外周部８ｂは、図２，図３に示すように、下部揚水管１２の立側周面２６に径方向の隙間を持って遊内嵌される下外周面２８、内立周面２０に径方向の隙間を持って遊内嵌される上外周面３１、及び環状載置面２５ａに載せ付けられる環状底面３０を有する外周フランジ２９を備えて形成されている。外周フランジ２９は、嵌合立周面２５ｂに嵌め合い内嵌されるフランジ外周面２９ａ、及び中間底面１８に上下の間隙を有して位置するフランジ上面２９ｂ、及び取付け用のボルト孔２９ｃを備えている。
【００２９】
つまり、外周フランジ２９が環状凹入部２５に嵌合されること、即ち、フランジ外周面２９ａと嵌合立周面２５ｂとが嵌め合い嵌合されて外周フランジ２９の環状底面３０が環状載置面２５ａに当接するまで落し込み挿入されることにより、下軸受ケース８Ａと下部揚水管１２との芯出しが行われる。そして、ボルト孔２９ｃに挿通されるボルト（六角穴付ボルト）３２を上外周フランジ１２Ａに螺着することにより、下部揚水管１２に対して芯出し状態で中間軸受台８Ａを、即ち、中間軸受部８を固定支持させることができる。つまり、下部揚水管１２の環状凹入部２５は、内装構造体Ｎである中間軸受台８Ａを嵌合及び支持させる取付部として構成されている。
【００３０】
そして、図２，図３に示すように、基準立内周面１９と基準立外周面２４とが嵌め合い嵌合されて下外周フランジ１１Ａの最外周底面１７が最外周上面２２に当接するまで中間揚水管１１を下部揚水管１２に落し込み挿入することができる。それによって、中間揚水管１１と下部揚水管１２との芯出しを行うことができる。そして、上下の取付孔２１に通されるボルト・ナット（図示省略）により、中間揚水管１１と下部揚水管１２とを芯出し状態で一体的に連結固定することができる。すなわち、互いに嵌め合い嵌合される基準立内周面１９と基準立外周面２４とによって嵌合部Ｋが構成されている。
【００３１】
つまり、複数のケースＣのうちの流体の流れ方向の上流側に位置する下部揚水管１２と、その流れ方向の下流側に隣合う中間揚水管１２とを軸心Ｐを中心とするインロー構造で嵌め合う嵌合部Ｋが形成され、嵌合部Ｋの径内側における下部揚水管１２（又は中間揚水管１１）に、軸心Ｐを中心とする環状体を為してポンプケーシング３の内部に装備される内装構造体Ｎ（中間軸受部８を構成する中間軸受台８Ａ）を嵌合及び支持させる取付部２５が形成可能に構成されている。
【００３２】
そして、図３に示すように、凹入部２５を環状に形成し、環状の凸リング部２３としているので旋盤等で容易に加工ができる。また、環状凹入部２５を有する上外周フランジ１２Ａの軸心Ｐ方向最大厚みＤと、環状凹入部２５を有さない下外周フランジ１１Ａの軸心Ｐ方向最大厚みＥとが同じ厚み又はほぼ同じ厚みに設定されておれば、強度バランスの点でより好都合である。また、厚みを同じにすれば鋳造で揚水管を製作する際には木型を同じ形にすることも可能となりコスト低減につながる。
【００３３】
さらに、嵌合部Ｋが、上外周フランジ１２Ａと下外周フランジ１１Ａのうちの一方である上外周フランジ１２Ａに形成される凸リング部２３と、凸リング部２３に嵌合する状態で他方の下外周フランジ１１Ａに形成される凹リング部３３とを有して構成されるとともに、凸リング部２３を有する外周フランジ１２Ａに環状凹入部２５が形成されている。
【００３４】
仕様変更等により、中間軸受部８の無い構造となった場合には、嵌合部Ｋを用いて中間揚水管１１と下部揚水管１２とを芯出し状態で嵌合連結すれば良く、嵌合下部揚水管１２に中間軸受台８Ａは組み込まれない。つまり、中間揚水管１１と下部揚水管１２との嵌合連結は、中間軸受部８の有無によって左右されない構造となっている。従って、客先仕様に応じて立軸ポンプＡとして、ポンプケーシング３から中間軸受部８を省略したり、或は加えることが可能である。尚、ポンプケーシング３は通常鋳造されるので、鋳造後の機械加工工程において、適宜仕様変更が可能となる。
【００３５】
つまり、中間揚水管１１と下部揚水管１２との嵌合部Ｋと、下部揚水管１２と下軸受ケース８Ａとの嵌合部である取付部２５とを、軸心Ｐに関する径方向で分けること、あるいは分けて形成可能に構成することにより、中間揚水管１１と下部揚水管１２とを直接嵌合させてボルト連結させ、中間軸受台８Ａが有っても無くても中間揚水管１１と下部揚水管１２とを芯出し状態で一体的に連結させることが可能となる。
【００３６】
これにより、中間軸受台８Ａ等の内装構造体Ｎを用いて芯出しさせていた従来構造による不都合、即ち、中間軸受台やケーシングライナ等の内装構造体の形状変更や有無によって、上流側ケースと下流側ケースとの少なくとも一方の構造を変更するか、芯出しのためだけに新たな別部材を設けるなど、仕様変更毎にポンプケースも変更しなければならない設計上及び組付上の煩わしさを解消できる。また、別部材を設ける構造の場合にはその部材のコストが余分に掛かるほか、組付け忘れが発生し易いといった不都合があったが、それらから開放される効果も得られる。
【００３７】
そして、下外周フランジ１１Ａの軸心Ｐ方向最大厚みＥと上外周フランジ１２Ａの軸心Ｐ方向最大厚みＤとを実質的に同じ又はほぼ同じとしてあるので、例えば中間軸受台８Ａが装着される上外周フランジ１２Ａの強度や剛性が下外周フランジ１１Ａに比べて低下するといった不利が無く、強度的なバランスを良くしてポンプケーシング３を構成することも可能となっている。
【００３８】
さらに、凸リング部２３を有する外周フランジ１２Ａに環状凹入部２５が形成されているから、例えば、環状凹入部２５を下外周フランジ１１Ａに形成するような場合に比べて、各内径側部分１１ｉ，１２ｉの強度バランスを、それぞれの軸心Ｐ方向厚さに明確な差を付けることなく取ることができる利点がある。また、これにより上下の外周フランジ１２Ａ，１１Ａの軸心Ｐ方向のトータル厚さ（嵩高さ）を小さくすることも可能である。
【００３９】
〔実施例２〕
中間揚水管１１と下部揚水管１２との間に中間軸受台８Ａを装備しない仕様の立軸ポンプである場合には、下部揚水管１２の上端部を、図５に示すように、内装構造体Ｎである中間軸受台８Ａを嵌合及び支持させる取付部２５が後加工で形成可能に構成しても良い。つまり、天井面２３ａが管内面１２ａまで延びるように凸リング部２３を径内側に延長形成し、内径側部分１２ｉの厚みがｄ１（図５参照）となるように形成された上外周フランジ１２Ａを持つ構造の下部揚水管１２とする構造である。
【００４０】
このような構成の上外周フランジ１２Ａとすれば、内装構造体を設置しない場合には取付部２５や立側周面２６等を形成する加工費が不要となり、製作工程の簡略化やコストダウンが可能となる利点がある。また、後々に中間軸受部８を装備する必要が生じた際に、後加工（切削加工）によって取付部２５や立側周面２６等を形成し、下軸受ケース８Ａを嵌合及び支持させることが可能であり、その点でも融通性があって汎用性に富む利点もある。さらに、ＪＩＳＢ０１３１（２００２）の付図４１に示される構造によれば、軸受の有無でポンプ長さが変わってしまい、長さが変わると主軸長さの修正も必要となる。生産リードタイムの関係で、かなり早めに鋳物の手配をする必要があるが、客先との打合せにより、軸受が追加で必要になった場合に、主軸等寸法を延長する必要があるため、不要なものを付けておく必要があった。本発明によれば、上記の主軸長さの修正や不要なものをつけておく不都合が解消される利点もある。特に、ケーシングを鋳造して形成する場合に有利となる。
【００４１】
〔別実施例〕
詳細な図示は省略するが、上流側ケースが、羽根車５の羽根５ａを囲繞する吸込みカバー（例：図１の上吸入カバー１４）であり、下流側ケースが、羽根車５を回転可能に支承する軸受部分（例：図１の下部軸受部１６）を囲繞し、かつ、吸込みカバーの上に隣るポンプケースであり、内装構造体Ｎが、吸込みカバーの内側にて羽根５ａを外囲するケーシングライナである、というポンプケーシング構造でも良い。また、凹入部は必ずしも環状に形成する必要はなく、周方向に部分的に形成された形態、例えば周方向４ヶ所にのみ形成しても良い。また、内装構造体の外周フランジ２９も環状でなく、支持材８ｃの近傍にのみにフランジを設けた形態であっても良い。
【００４２】
上流側ケースＣと下流側ケースＣとは、例えば、中間揚水管１１と上部揚水管１０とでも良く、その他種々の組み合わせが可能である。内装構造体Ｎは、中間軸受７の軸受台７Ａの他、種々のものが可能である。また、立軸ポンプのケーシングに限定されるものではなく、横軸ポンプであっても良いし、立軸のポンプ逆転水車や軸流水車など、回転する主軸と、主軸に取付けられた羽根車を内部に備えた流体機械のポンプケーシングに適用することができるのは言うまでもない。
【符号の説明】
【００４３】
３          ケーシング
４          主軸
５          羽根車
８Ａ        軸受台
１１        下流側ケース（中間揚水管）
１１Ａ      外周フランジ
１２        上流側ケース（下部揚水管）
１２Ａ      外周フランジ
１３        ポンプケース
１６        軸受部分
２３        凸リング部
２５        取付部（凹入部）
２７        軸受
３３        凹リング部
Ｃ          ケース部
Ｋ          嵌合部
Ｎ          内装構造体
Ｐ          主軸の軸心
【図１】
0005396197.tif 000002
【図２】
0005396197.tif 000003
【図３】
0005396197.tif 000004
【図４】
0005396197.tif 000005
【図５】
0005396197.tif 000006